(57)【要約】【課題】侵襲性もなく、患者自身が簡便に治療することができる排尿障害治療装置を提供することを目的とする。【解決手段】電極面が凸状の形状を有する刺激印加電極３と、前記人体の所望の部位の皮膚表面上に配置される基準電極４と、下肢内側面のくるぶし９に配置する部分に穴部１１を備え、ＳＰ−６ポイント１０を含む足首８全体を巻装し、前記穴部１１を基準として定められる前記ＳＰ−６ポイント１０の皮膚表面に対応する位置に前記刺激印加電極３を設置した巻装部６と、前記基準電極４の電位に対し定められる所定の大きさの電圧からなる前記刺激印加信号を前記刺激印加電極３へ供給する刺激装置２とを備える構成とした。【選択図】図１
2012217565.tif 000002
【特許請求の範囲】
【請求項１】
電極面が凸状の形状を有する刺激印加電極と、
前記人体の所望の部位の皮膚表面上に配置される基準電極と、
下肢内側面のくるぶしに配置する部分に穴部を備え、ＳＰ−６ポイントを含む足首全体を巻装し、前記穴部を基準として定められる前記ＳＰ−６ポイントの皮膚表面に対応する位置に前記刺激印加電極を設置した巻装部と、
前記基準電極の電位に対し定められる所定の大きさの電圧からなる前記刺激印加信号を前記刺激印加電極へ供給する刺激装置とを備えたことを特徴とする排尿障害治療装置。
【請求項２】
前記巻装部材は、前記足首を所望の締圧で固定するベルト部を備えたことを特徴とする排尿障害治療装置。
【請求項３】
前記巻装部は、その内部に加圧空気を送って膨張させる袋状部材を備えたことを特徴とする排尿障害治療装置。
【請求項４】
前記袋状部材に、加圧空気を送る加圧空気供給装置を備えたことを特徴とする排尿障害治療装置。
【発明の詳細な説明】
【技術分野】
【０００１】
本発明は、特に失禁や頻尿を抑制する排尿障害治療装置に関するものである。
【背景技術】
【０００２】
失禁や頻尿といった排尿障害を、仙骨を通る神経を刺激して治療する方法がある。
【０００３】
図５の人体１５側断面図で示すように、尿道括約筋１６等の骨盤底筋群の動きを制御する陰部神経１７と、膀胱１８の動きを制御する骨盤内臓神経１９とが仙骨２０を通っている。そのため、仙骨２０を介して、これら陰部神経１７と骨盤内臓神経１９とを刺激することで蓄排尿を制御することができる。
【０００４】
一方、後頚骨神経２１は、足底から足首８の内側を通り、坐骨神経２３を介して仙骨２０に繋がっている。そのため、図６に示すような刺激装置２４と針電極２５、基準電極２６およびリードケーブル２７とで構成され、図７に示す下肢内側面２８のくるぶし２９から大よそ５〜６センチ膝方向部分に存在するＳＰ−６ポイント３０部分に針電極２５を穿刺し、穿刺した針電極２５へ刺激装置２４から刺激印加信号を供給する排尿障害治療装置が提案されている（例えば、下記非特許文献１）。
【０００５】
ＳＰ−６ポイント３０は、頸骨の直ぐ後ろの皮膚上にあり、後頸骨神経２１に近接する皮膚上に位置する。ＳＰ−６ポイント３０は経穴に相当し、山陰交とも呼ばれる。山陰交は、泌尿器疾患や消化器官を調節する経穴として知られている。
【先行技術文献】
【非特許文献】
【０００６】
【非特許文献１】Ｋｌｉｎｇｌｅｒ  ＨＣ、Ｐｙｃｈａ  Ａ、Ｓｃｈｍｉｄｂａｕｅｒ  Ｊ、Ｍａｒｂｅｒｇｅｒ  Ｍ、「Ｕｓｅ  ｏｆ  ｐｅｒｉｐｈｅｒａｌ  ｎｅｕｒｏｍｏｄｕｌａｔｉｏｎ  ｏｆ  ｔｈｅ  Ｓ３  ｒｅｇｉｏｎ  ｆｏｒ  ｔｒｅａｔｍｅｎｔ  ｏｆ  ｄｅｔｒｕｓｏｒ  ｏｖｅｒａｃｔｉｖｉｔｙ：ａ  ｕｒｏｄｙｎａｍｉｃ−ｂａｓｅｄ ｓｔｕｄｙ．」、Ｕｒｏｌｏｇｙ、２０００年１１月１日、第５６巻、第５号、７６６−７７１頁
【発明の概要】
【発明が解決しようとする課題】
【０００７】
しかしながら、前記従来の構成では、下肢のＳＰ−６ポイントに針電極を穿刺するという侵襲性を有する治療であるから、患者にとって痛みや苦痛を伴うという課題を有していた。
【０００８】
また、侵襲性を有する治療であることから、治療の都度、穿刺を医師等の医療従事者のもとで行う必要があり、簡便に治療することができないという課題を有していた。
そこで、本発明は、前記課題を解決するもので、針電極をＳＰ−６ポイントに穿刺する必要がなく、患者自身が簡便に治療できる排尿障害治療装置を提供することを目的とする。
【課題を解決するための手段】
【０００９】
そして、この目的を達成するために本発明の排尿障害治療装置は、電極面が凸状の形状を有する刺激印加電極と、前記人体の所望の部位の皮膚表面上に配置される基準電極と、下肢内側面のくるぶしに配置する部分に穴部を備え、ＳＰ−６ポイントを含む足首全体を巻装し、前記穴部を基準として定められる前記ＳＰ−６ポイントの皮膚表面に対応する位
置に前記刺激印加電極を設置した巻装部と、前記基準電極の電位に対し定められる所定の大きさの電圧からなる前記刺激印加信号を前記刺激印加電極へ供給する刺激装置とを備えた構成とし、これにより所期の目的を達成することを特徴としたものである。
【発明の効果】
【００１０】
本発明の排尿障害治療装置によれば、電極面が凸状の形状を有する刺激印加電極と、前記人体の所望の部位の皮膚表面上に配置される基準電極と、下肢内側面のくるぶしに配置する部分に穴部を備え、ＳＰ−６ポイントを含む足首全体を巻装し、前記穴部を基準として定められる前記ＳＰ−６ポイントの皮膚表面に対応する位置に前記刺激印加電極を設置した巻装部と、前記基準電極の電位に対し定められる所定の大きさの電圧からなる前記刺激印加信号を前記刺激印加電極へ供給する刺激装置とを備えた構成としたものであり、針電極を患者のＳＰ−６ポイントに穿刺する必要する必要もなく、非侵襲で治療を行うことができる。
【００１１】
その結果、患者への負担を軽減することが可能となり、また、穿刺に伴う穿刺部分への細菌等による感染の危険性も伴わないため安全に治療を実施することができる。さらに、治療の都度、医師等の医療従事者のもとで行う必要がなく、患者自身で簡便に治療を行うことができる。
【図面の簡単な説明】
【００１２】
【図１】本発明の実施の形態１における排尿障害治療装置を示す図
【図２】本発明の実施の形態１における排尿障害治療装置の巻装部を示す図
【図３】本発明の実施の形態２における排尿障害治療装置を示す図
【図４】本発明の実施の形態２における排尿障害治療装置の巻装部を示す図
【図５】排尿障害を司る神経を示した人体側断面図
【図６】従来の排尿障害治療装置を示す図
【図７】ＳＰ−６ポイントの位置を示す下肢内側面図
【発明を実施するための形態】
【００１３】
以下に本発明の排尿障害治療装置の実施の形態を図面と共に説明する。
【００１４】
（実施の形態１）
図１は、本願発明の実施の形態１における排尿障害治療装置を示している。
【００１５】
実施の形態１における排尿障害治療装置１は、刺激装置２、刺激印加電極３、基準電極４、リードケーブル５、巻装部６およびベルト部７から構成される。
【００１６】
刺激装置２は、リードケーブル５を介して刺激印加電極３と基準電極４とに電気的に接続されており、基準電極４の電位を基準として、刺激印加信号として矩形波のパルス信号を刺激印加電極３に供給するものである。
【００１７】
刺激印加電極３は、足首８の下肢内側面側のくるぶし９から大よそ５〜６センチ膝方向側のＳＰ−６ポイント１０の皮膚表面上に当接するものであって、刺激装置２からの刺激印加信号を、ＳＰ−６ポイント１０を介して生体内部へ供給させるものである。そして、刺激印加電極３は、後述する巻装部６およびベルト部７で足首８を固定した際に確実に皮膚表面に当節するように電極面は凸状で形成されている。基準電極４は、所望の皮膚表面上に配置されるものであって、刺激装置２から刺激印加電極３に刺激印加信号を供給する際に、この基準電極４の電位を基準として刺激印加信号の大きさの電圧を定めるためのものである。
【００１８】
巻装部６の構成を図２に示す。巻装部６は、ＳＰ−６ポイント１０を含む足首８全体を巻装するものであって、その材質は絶縁性を有する材質で構成される。下肢内側面のくるぶしに配置する部分にくるぶしが露出するように穴部１１が設けられている。そして、この巻装部６には、足首８全体を巻装した後に、所望の締圧で固定することが可能なベルト部７が設けられている。すなわち、この巻装部６は、下肢内側面のくるぶしに穴部１１を配置した後に足首８全体を巻装させ、その後にベルト部７によって巻装部６を足首８に確実に固定させる構成となっている。
【００１９】
また、この巻装部６は、その内面に電極面が皮膚に当接するように刺激印加電極３が固定されている。この刺激印加電極３は、穴部１１を基準としておおよそ５〜６センチ膝方向に固定されている。これは、ＳＰ−６ポイント１０が足首８から５〜６センチ膝方向に存在するため、巻装部６を足首８全体に巻装した際、刺激印加電極３が、ＳＰ−６ポイント１０に配置されるように対応したものである。
【００２０】
上記のような構成からなる巻装部６を足首８に装着することで、刺激印加電極３を確実にＳＰ−６ポイント１０の皮膚表面上に当接することができるので、巻装部６を足首８に装着後、刺激装置２から刺激印加電極を介してＳＰ−６ポイント１０へ刺激印加信号を供給することができる。そして、ＳＰ−６ポイント１０に供給された刺激印加信号は、その信号が後頚骨神経に伝達し、仙骨にまで伝播するため、陰部神経および骨盤内臓神経を刺激して蓄排尿を制御して排尿障害を治療することができる。
【００２１】
以上のように、本願発明の実施の形態１における排尿障害治療装置１を用いることで、巻装部６で足首８全体を固定した際に、凸状の刺激印加電極３が皮膚表面に確実に当接し、刺激印加信号を生体へ供給することができる。そして、巻装部６に設けられた穴部１１を基準に巻装するだけで、刺激印加電極３を簡便且つ確実にＳＰ−６ポイント位置に配置することができる。従って、非侵襲でかつ、簡便な装着で排尿障害治療を実施することが可能となる。
【００２２】
（実施の形態２）
図３は、本願発明の実施の形態２における排尿障害治療装置を示している。
【００２３】
実施の形態１と異なる点は、図４に示すように巻装部６の内部に加圧空気を送って膨張させる袋状部材１２を備えたことと、その袋状部材１２に送気ケーブル１４を介して加圧空気を供給する加圧空気供給装置１３を備えた点が異なる。従って、実施の形態１と同様の構成については、説明を省略する。
【００２４】
実施の形態２における排尿障害治療装置１の巻装部６は、いわゆる血圧計のカフ部に類似する構成である。すなわち、下肢内側面のくるぶしに穴部１１を配置した後に足首８全体を巻装させ、ベルト部７によって巻装部６を足首８に固定させた後、加圧空気供給装置１３から送気ケーブル１４を介して巻装部６の袋状部材１２に向けて加圧空気を供給して使用される。
【００２５】
従って、実施の形態２の排尿障害治療装置１を用いることで、巻装部６による足首８全体および刺激印加電極４の固定を更に確実にすることができる。
また、凸状の刺激印加電極3を巻装部６の内側面に設けると、巻装部６に加圧空気が供給された時に凸状の刺激印加電極3とＳＰ−６ポイント１０部分の皮膚の密着性がより増加するため、皮膚と電極の接触抵抗が小さい状態で効果的な刺激ができる。
【産業上の利用可能性】
【００２６】
本発明の排尿障害治療装置光治療装置によれば、電極面が凸状の形状を有する刺激印加
電極と、前記人体の所望の部位の皮膚表面上に配置される基準電極と、下肢内側面のくるぶしに配置する部分に穴部を備え、ＳＰ−６ポイントを含む足首全体を巻装し、前記穴部を基準として定められる前記ＳＰ−６ポイントの皮膚表面に対応する位置に前記刺激印加電極を設置した巻装部と、前記基準電極の電位に対し定められる所定の大きさの電圧からなる前記刺激印加信号を前記刺激印加電極へ供給する刺激装置とを備えた構成としたものであるので、針電極を患者のＳＰ−６ポイントに穿刺する必要する必要もなく、非侵襲で治療を行うことができる。
【００２７】
その結果、患者への負担を軽減することが可能となり、また、穿刺に伴う穿刺部分への細菌等による感染の危険性も伴わないため安全に治療を実施することができる。
さらに、治療の都度、医師等の医療従事者のもとで行う必要がなく、患者自身で簡便に治療を行うことができる。
【００２８】
このため、家庭用で使用できる排尿障害治療装置として広く活用が期待される。
【符号の説明】
【００２９】
１  排尿障害治療装置
２  刺激装置
３  刺激印加電極
４  基準電極
５  リードケーブル
６  巻装部
７  ベルト部
８  足首
９  くるぶし
１０  ＳＰ−６ポイント
１１  穴部
１２  袋状部材
１３  加圧空気供給装置
１４  送気ケーブル
１５  人体
１６  尿道括約筋
１７  陰部神経
１８  膀胱
１９  骨盤内臓神経
２０  仙骨
２１  後頚骨神経
２２  足首
２３  坐骨神経
２４  刺激装置
２５  針電極
２６  基準電極
２７  リードケーブル
２８  下肢内側面
２９  くるぶし
３０  ＳＰ−６ポイント
【図１】
2012217565.tif 000003
【図２】
2012217565.tif 000004
【図３】
2012217565.tif 000005
【図４】
2012217565.tif 000006
【図５】
2012217565.tif 000007
【図６】
2012217565.tif 000008
【図７】
2012217565.tif 000009